(57)【特許請求の範囲】
【請求項１】
車両と通信を行う無線通信回路を有する本体部と、
前記本体部に設けられた少なくとも１つの開口と、
前記開口内に突出して設けられる抜止部と、
突起部を有する爪部を有し、前記抜止部と前記開口とによって形成される第１のガイド部に前記爪部を挿入し、さらに前記抜止部と前記開口とによって取付方向に形成された第２のガイド部に沿って前記爪部を変位させ、前記抜止部と前記突起部とによって前記本体部に取り付けられる加飾部と、
を備えたことを特徴とする携帯機。
【請求項２】
前記爪部は、Ｌ字の水平部分を前記突起部とした略Ｌ字形状を有し、
前記突起部は、前記第２のガイド部に沿って変位することによって前記加飾板と前記突起部の間に前記抜止部が挿入されることを特徴とする請求項１に記載の携帯機。
【請求項３】
前記加飾部は、金属によって形成されることを特徴とする請求項２に記載の携帯機。
【請求項４】
車両と通信を行う無線通信回路を有する本体部と、
前記本体部に設けられた少なくとも１つの開口と、
前記開口内に突出して設けられる抜止部と、
突起部を有する爪部を有し、前記抜止部と前記開口とによって形成される第１のガイド部に前記爪部を挿入し、さらに前記抜止部と前記開口とによって取付方向に形成された第２のガイド部に沿って前記爪部を変位させ、前記抜止部と前記突起部とによって前記本体部に取り付けられる加飾部と、
前記加飾部が取り付けられる前記本体部の取付面に対向する裏面から前記開口の前記第１のガイド部に挿入され、前記加飾部の前記第１のガイド部方向の変位を規制する規制部材と、
を備えたことを特徴とする携帯機。
【請求項５】
前記規制部材は、第１及び第２の脚部を有する略Ｖ字形状を備え、
前記開口は、第１及び第２の保持部を有し、前記規制部材の前記第１及び第２の脚部が前記第１及び第２の保持部によって前記開口内に保持されることによって前記規制部材は前記開口内に保持されることを特徴とする請求項４に記載の携帯機。
【請求項６】
前記爪部は、Ｌ字の水平部分を前記突起部とした略Ｌ字形状を有し、
前記突起部は、前記第２のガイド部に沿って変位することによって前記加飾板と前記突起部の間に前記抜止部が挿入されることを特徴とする請求項５に記載の携帯機。
【請求項７】
前記加飾部は、金属によって形成されることを特徴とする請求項６に記載の携帯機。
【発明の詳細な説明】
【技術分野】
【０００１】
本発明は、携帯機に関する。
【背景技術】
【０００２】
従来の技術として、金属調の加飾層を有する加飾フィルムを取り付けた携帯機が知られている（例えば、特許文献１参照）。
【０００３】
この携帯機によると、加飾フィルムによって外装が保護され、また、加飾フィルムが有する高輝度の金属光沢によって高級感を表現することができる。
【特許文献１】特開２００７−２８５０９３号公報
【発明の開示】
【発明が解決しようとする課題】
【０００４】
しかし、従来の携帯機は、本物の金属によって加飾するわけではないので、高級感の表現に限界があった。
【０００５】
従って本発明の目的は、高級感があり、加飾された部品の取替えが容易な携帯機を提供することにある。
【課題を解決するための手段】
【０００６】
（１）本発明は上記目的を達成するため、車両と通信を行う無線通信回路を有する本体部と、前記本体部に設けられた少なくとも１つの開口と、前記開口内に突出して設けられる抜止部と、突起部を有する爪部を有し、前記抜止部と前記開口とによって形成される第１のガイド部に前記爪部を挿入し、さらに前記抜止部と前記開口とによって取付方向に形成された第２のガイド部に沿って前記爪部を変位させ、前記抜止部と前記突起部とによって前記本体部に取り付けられる加飾部と、を備えたことを特徴とする携帯機を提供する。
【０００７】
（２）本発明は上記目的を達成するため、前記爪部は、Ｌ字の水平部分を前記突起部とした略Ｌ字形状を有し、前記突起部は、前記第２のガイド部に沿って変位することによって前記加飾板と前記突起部の間に前記抜止部が挿入されることを特徴とする前記（１）に記載の携帯機を提供する。
【０００８】
（３）本発明は上記目的を達成するため、前記加飾部は、金属によって形成されることを特徴とする前記（２）に記載の携帯機を提供する。
【０００９】
（４）本発明は上記目的を達成するため、車両と通信を行う無線通信回路を有する本体部と、前記本体部に設けられた少なくとも１つの開口と、前記開口内に突出して設けられる抜止部と、突起部を有する爪部を有し、前記抜止部と前記開口とによって形成される第１のガイド部に前記爪部を挿入し、さらに前記抜止部と前記開口とによって取付方向に形成された第２のガイド部に沿って前記爪部を変位させ、前記抜止部と前記突起部とによって前記本体部に取り付けられる加飾部と、前記加飾部が取り付けられる前記本体部の取付面に対向する裏面から前記開口の前記第１のガイド部に挿入され、前記加飾部の前記第１のガイド部方向の変位を規制する規制部材と、を備えたことを特徴とする携帯機を提供する。
【００１０】
（５）本発明は上記目的を達成するため、前記規制部材は、第１及び第２の脚部を有する略Ｖ字形状を備え、前記開口は、第１及び第２の保持部を有し、前記規制部材の前記第１及び第２の脚部が前記第１及び第２の保持部によって前記開口内に保持されることによって前記規制部材は前記開口内に保持されることを特徴とする前記（４）に記載の携帯機を提供する。
【００１１】
（６）本発明は上記目的を達成するため、前記爪部は、Ｌ字の水平部分を前記突起部とした略Ｌ字形状を有し、前記突起部は、前記第２のガイド部に沿って変位することによって前記加飾板と前記突起部の間に前記抜止部が挿入されることを特徴とする前記（５）に記載の携帯機を提供する。
【００１２】
（７）本発明は上記目的を達成するため、前記加飾部は、金属によって形成されることを特徴とする前記（６）に記載の携帯機を提供する。
【発明の効果】
【００１３】
このような構成によれば、高級感があり、加飾された部品の取替えを容易に行うことができる。
【発明を実施するための最良の形態】
【００１４】
以下に、本発明の携帯機の実施の形態を図面を参考にして詳細に説明する。
【００１５】
[実施の形態]
（携帯機１の構成）
図１は、本発明の実施の形態に係る携帯機の分解斜視図である。本実施の形態における携帯機１は、図示しない車両と無線通信を行って、車両に対する所定の操作を可能にするものである。
【００１６】
この携帯機１は、図１に示すように、本体（本体部）２と、第１及び第２の加飾板（加飾部）４、５と、Ｖ字スナップ（規制部材）６０〜６３と、を備えて概略構成されている。
【００１７】
（本体２の構成）
本体２は、一例として、樹脂によって形成され、図１に示すように、上及び下カバー２０、２１によって構成されている。なお、本実施の形態における本体２は、上下に２分割されているが、これに限定されず、さらに分割されたもの、又は一体であるものであっても良い。
【００１８】
（上カバー２０の構成）
図２（ａ）は、本発明の実施の形態に係る上カバーの平面図であり、図２（ｂ）は、図２（ａ）におけるＡ−Ａ線断面図である。
【００１９】
上カバー２０は、第１及び第２の加飾板４、５が取り付けられる取付面を有し、図１及び図２（ａ）に示すように、中央部付近に形成された凸部２００と、第１及び第２の加飾板４、５の両端部の厚みに基づいて形成された凹部２０１、２０２と、第１及び第２の加飾板４、５の中央部の厚みに基づいて凸部２００よりも凸が小さく形成された凸部２０３と、凹部２０１に形成された開口２０４と、凹部２０２に形成された開口２０５と、を備えて概略構成されている。
【００２０】
凹部２０１に形成される開口２０４は、矩形状を有し、さらに、凹部２０１と凸部２０３とに渡って形成されており、携帯機１の中心点（図示せず）に対して点対称の位置の凹部２０１（凸部２００を挟んで点対称の位置にある凹部２０１と凸部２０３）にも形成されている。
【００２１】
また、凹部２０２に形成される開口２０５は、矩形状を有し、さらに、携帯機１の中心点（図示せず）に対して点対称の位置の凹部２０２（凸部２００を挟んで点対称の位置にある凹部２０２）にも形成されている。
【００２２】
（開口２０４の構成）
開口２０４は、図２（ａ）及び（ｂ）に示すように、上カバー２０を貫通する開口であって、その開口の形状は略Ｌ字形状を有し、携帯機１の長手方向の開口部分である第１のガイド部２０６と、携帯機１の短手方向の開口部分である第２のガイド部２０７と、を備えている。
【００２３】
また、開口２０４には、矩形状を有して開口内に突出する抜止部２０４ａが形成されている。抜止部２０４ａの開口内における厚みは、後述する第１の爪部４２に基づいて設定される。
【００２４】
（開口２０５の構成）
開口２０５は、図２（ａ）及び（ｂ）に示すように、上カバー２０を貫通する開口であって、その開口の形状は略Ｌ字形状を有し、携帯機１の長手方向の開口部分である第１のガイド部２０８と、携帯機１の短手方向の開口部分である第２のガイド部２０９と、を備えている。
【００２５】
また、開口２０５には、矩形状を有して開口内に突出する抜止部２０５ａが形成されている。抜止部２０４ａの開口内における厚みは、後述する第２の爪部４４に基づいて設定される。
【００２６】
（下カバー２１の構成）
図３（ａ）は、本発明の実施の形態に係る下カバーの平面図であり、図３（ｂ）は、下カバーの図３（ａ）におけるＢ−Ｂ線断面図であり、図３（ｃ）は、下カバーの図３（ａ）におけるＣ−Ｃ線断面図である。
【００２７】
下カバー２１は、図１及び図３（ａ）に示すように、上カバー２０に接する面上に、車両と通信を行う無線通信回路（図示せず）を有するプリント配線基板３を備えている。
【００２８】
また下カバー２１は、上カバー２０の開口２０４、２０５に対応する位置に開口２１０、２１１を備えている。
【００２９】
開口２１０は、開口２０４に繋がる開口であり、開口２１１は、開口２０５に繋がる開口であるので、以下において、上カバー２０側から開口に部材を挿入するときは、上カバー２０の符号２０４、２０５を用い、下カバー２１側から開口に部材を挿入するときは、下カバー２１の符号２１０、２１１を用いることとする。
【００３０】
（開口２１０の構成）
開口２１０は、開口２０４の第１のガイド部２０６に対応する位置に、第１及び第２の保持部２１２、２１３を有している。
【００３１】
第１及び第２の保持部２１２、２１３は、開口２１０内に突出するように設けられている。
【００３２】
（開口２１１の構成）
開口２１１は、開口２０５の第１のガイド部２０８に対応する位置に、第１及び第２の保持部２１４、２１５を有している。
【００３３】
第１及び第２の保持部２１４、２１５は、開口２１１内に突出するように設けられている。
【００３４】
（第１の加飾板４の構成）
図４（ａ）は、本発明の実施の形態に係る第１の加飾板の側面図であり、図４（ｂ）は、第１の加飾板の裏面図である。以下では、第１の加飾板４について説明するが、第２の加飾板５も同じ構成及び機能を有するものとする。
【００３５】
第１の加飾板４は、一例として金属によって形成され、図４（ａ）及び（ｂ）に示すように、略矩形状を有する本体４０と、上カバー２０の凸部２０３に基づいて本体４０の下部中央に形成された凹部４１と、上カバー２０の開口２０４に基づいて本体４０の図４（ａ）の左下側に形成された第１の爪部４２と、上カバー２０の開口２０５に基づいて本体４０の図４（ａ）の右下側に形成された第２の爪部４４と、を備えて概略構成されている。
【００３６】
第１の爪部４２は、略Ｌ字形状を有し、図４（ａ）に示す水平方向に伸びる先端部（突起部）４３を備えている。
【００３７】
また第２の爪部４４は、略Ｌ字形状を有し、図４（ａ）に示す水平方向に伸びる先端部（突起部）４５を備えている。
【００３８】
（Ｖ字スナップ６０〜６３の構成）
図５は、本発明の実施の形態に係るＶ字スナップの概略図である。以下において、Ｖ字スナップ６０について説明するが、他のＶ字スナップ６１〜６３も同様の構成及び機能を有するものとする。
【００３９】
Ｖ字スナップ６０は、一例として樹脂又は金属によって形成され、図５に示すように、先端部６００と、先端部６００の側面に設けられた第１の脚部６０１と、第１の脚部６０１に対向する先端部６００の他の側面に設けられた第２の脚部６０２と、第１及び第２の脚部６０１、６０２によって形成された凹部６０３と、を備えて構成されている。
【００４０】
（動作）
以下に、本実施の形態における携帯機に関する動作を各図を参照して詳細に説明する。ユーザが、携帯機１に第１の加飾板４を取り付ける場合について説明する。なお、第２の加飾板５を取り付ける場合も以下と同様である。
【００４１】
図６は、本発明の実施の形態に係る第１の加飾板の取り付けに関する概略図であり、図７は、本発明の実施の形態に係る携帯機の図６におけるＤ−Ｄ線断面図であり、図８（ａ）は、本発明の実施の形態に係る開口を裏面側から見た概略図であり、図８（ｂ）は、Ｖ字スナップ挿入後の開口の断面図である。図８（ｂ）における断面図は、Ｖ字スナップ挿入後の図３（ａ）のＣ−Ｃ線断面を取っている。
【００４２】
ユーザは、第１の加飾板４の第１及び第２の爪部４２、４４を本体２の開口２０４、２０５の第１のガイド部２０６、２０８に挿入する。
【００４３】
ユーザは、第１及び第２の爪部４２、４４を第１のガイド部２０６、２０８の奥まで挿入し、図６に示す矢印Ｅ方向（取付方向）に第１の加飾板４を変位させる。
【００４４】
このとき、第１及び第２の爪部４２、４４は、第２のガイド部２０７、２０９に沿って矢印Ｅ方向に変位する。
【００４５】
また、第１及び第２の爪部４２、４４の先端部４３、４５は、上カバー２０の抜止部２０４ａ、２０５ａの下部を矢印Ｅ方向に変位する。
【００４６】
第１及び第２の爪部４２、４４は、第２のガイド部２０７、２０９に沿って変位することによって、第１の加飾板４は本体２に取り付けられる。
【００４７】
このとき、第１及び第２の爪部４２、４４の先端部４３、４５は、図７に示すように、上カバー２０の抜止部２０４ａ、２０５ａの下部に変位しているため、第１の加飾板４は、本体２に対して、図７の上部方向に抜けなくなっている。
【００４８】
続いて、ユーザは、携帯機１を上下逆さにし、図８（ａ）に示すように、下カバー２１の開口２１０の第１のガイド部２０６に対応する位置に、Ｖ字スナップ６０を先端部６００から挿入する。
【００４９】
Ｖ字スナップ６０は、先端部６００から開口２１０に挿入されると、第１及び第２の脚部６０１、６０２の外側の側面が、第１及び第２の保持部２１２、２１３に接触し、接触に伴って凹部６０３の幅が狭くなる。
【００５０】
Ｖ字スナップ６０は、開口２１０の奥にさらに挿入されると、第１及び第２の脚部６０１、６０２が、第１及び第２の保持部２１２、２１３との接触を開放され、蓄えた弾性力を開放し、開口２１０の中で凹部６０３の幅が、第１及び第２の保持部２１２、２１３が作る開口の幅以上に広がる。
【００５１】
Ｖ字スナップ６０は、図８（ｂ）に示すように、凹部６０３の広がりによって開口２１０から抜けなくなり、さらに、第１の加飾板４の第２のガイド部２０７に沿った、図６に示す矢印Ｅ方向とは反対方向の変位を規制し、第１の加飾板４は、本体２に固定される。
【００５２】
またユーザは、同様に開口２１１にＶ字スナップ６１を挿入し、第１の加飾板４の取り付けを完了する。
【００５３】
続いてユーザは、第１の加飾板４と同様に第２の加飾板５を携帯機１に取り付け、第１及び第２の加飾板４、５の取り付けを完了する。
【００５４】
（効果）
（１）上記した実施の形態における携帯機１によれば、第１及び第２の加飾板４、５を本体２に容易に取り付けることができる。
【００５５】
（２）上記した実施の形態における携帯機１によれば、第１及び第２の爪部４２、４４が、略Ｌ字形状を有しているので、さらに第１及び第２の加飾板４、５を本体２に容易に取り付けることができる。
【００５６】
（３）上記した実施の形態における携帯機１によれば、金属で形成された第１及び第２の加飾板４、５を本体２に容易に取り付けることができるので、より高級感を高めることができる。
【００５７】
（４）上記した実施の形態における携帯機１によれば、Ｖ字スナップ６０〜６３を用いているので、第１及び第２の加飾板４、５を本体２に固定することができる。
【００５８】
（５）上記した実施の形態における携帯機１によれば、Ｖ字スナップ６０〜６３は単純な構成を有しているので、第１及び第２の加飾板４、５を容易に本体２に固定することができる。
【００５９】
（６）上記した実施の形態における携帯機１によれば、Ｖ字スナップ６０〜６３を用いているので、金属によって形成された第１及び第２の加飾板４、５を容易に本体２に固定することができる。
【００６０】
（７）上記した実施の形態における携帯機１によれば、Ｖ字スナップ６０〜６３を用いているので、開口２１０、２１１に対して挿入が容易になる。
【００６１】
（８）上記した実施の形態における携帯機１によれば、複数の加飾板を容易に本体２に取り付けることができる。
【００６２】
（９）上記した実施の形態における携帯機１によれば、様々な種類の加飾板を容易に取り替えることができる。
【００６３】
（他の実施の形態について）
（１）上記した実施の形態において加飾板は、上カバー２０に２つ取り付けられたが、下カバー２１に同じ形状を有する加飾板を取り付けても良い。
【００６４】
（２）上記した実施の形態において加飾板は、上カバー２０に２つ取り付けられたが、複数の加飾板を取り付けても良い。
【００６５】
（３）上記した実施の形態において第１及び第２の加飾板４、５は、金属であったが、樹脂でも良い。
【００６６】
（４）上記した実施の形態において第１及び第２の加飾板４、５は、爪部が２つ形成されていたが、１つ、又は複数であっても良い。
【００６７】
（５）上記した実施の形態において本体２は、２分割されていたが、さらに分割されたもの、又は一体であるものであっても良い。
【００６８】
（６）上記した実施の形態においてＶ字スナップ６０〜６３は、略Ｖ字形状であったが、開口２１０、２１１に挿入可能な形状であれば、矩形状等であっても良い。
【００６９】
（７）上記した実施の形態において第１及び第２の爪部４２、４４は、略Ｌ字形状を有しているが、抜止部２０４ａ、２０５ａによって変位が規制される形状であれば良い。
【００７０】
（８）上記した実施の形態において第１及び第２の保持部２１２、２１３は、開口２１０、２１１の挿入口付近に形成されたが、挿入する規制部材（例えばＶ字スナップ６０〜６３）の形状に合わせて形成されて良い。
【００７１】
（９）上記した実施の形態において第１及び第２の加飾板４、５は、携帯機１の長手方向に設けられたが、自由に配置可能である。
【００７２】
なお、本発明は、上記した実施の形態に限定されず、本発明の技術思想を逸脱あるいは変更しない範囲内で種々の変形が可能である。
【図面の簡単な説明】
【００７３】
【図１】本発明の実施の形態に係る携帯機の分解斜視図である。
【図２】（ａ）は、本発明の実施の形態に係る上カバーの平面図であり、（ｂ）は、図２（ａ）におけるＡ−Ａ線断面図である。
【図３】（ａ）は、本発明の実施の形態に係る下カバーの平面図であり、（ｂ）は、下カバーの図３（ａ）におけるＢ−Ｂ線断面図であり、（ｃ）は、下カバーの図３（ａ）におけるＣ−Ｃ線断面図である。
【図４】（ａ）は、本発明の実施の形態に係る第１の加飾板の側面図であり、（ｂ）は、第１の加飾板の裏面図である。
【図５】本発明の実施の形態に係るＶ字スナップの概略図である。
【図６】本発明の実施の形態に係る第１の加飾板の取り付けに関する概略図である。
【図７】本発明の実施の形態に係る携帯機の図６におけるＤ−Ｄ線断面図である。
【図８】（ａ）は、本発明の実施の形態に係る開口を裏面側から見た概略図であり、（ｂ）は、Ｖ字スナップ挿入後の開口の断面図である。
【符号の説明】
【００７４】
１…携帯機、２…本体、３…プリント配線基板、４…第１の加飾板、５…第２の加飾板、２０…上カバー、２１…下カバー、４０…本体、４１…凹部、４２…第１の爪部、４３…先端部、４４…第２の爪部、４５…先端部、６０〜６３…Ｖ字スナップ、２００…凸部、２０１…凹部、２０２…凹部、２０３…凸部、２０４…開口、２０４ａ…抜止部、２０５…開口、２０５ａ…抜止部、２０６…第１のガイド部、２０７…第２のガイド部、２０８…第１のガイド部、２０９…第２のガイド部、２１０、２１１…開口、２１２…第１の保持部、２１３…第２の保持部、２１４…第１の保持部、２１５…第２の保持部、６００…先端部、６０１…第１の脚部、６０２…第２の脚部、６０３…凹部
【図１】
0004932790.tif 000002
【図２】
0004932790.tif 000003
【図３】
0004932790.tif 000004
【図４】
0004932790.tif 000005
【図５】
0004932790.tif 000006
【図６】
0004932790.tif 000007
【図７】
0004932790.tif 000008
【図８】
0004932790.tif 000009